【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  ニュース番組を制作するための画像処理を行う画像処理装置であって、
画像データ及び音声データと、上記画像データ及び上記音声データを識別するためのメタデータとを入力する入力処理手段と、
上記画像データと上記音声データとを記録する記録手段と、
上記画像データを編集する際の編集開始点及び終了点のリスト情報、及び記事内容を入力するための操作手段と、
上記開始点、上記終了点のリスト情報に関するイー・ディー・エル・インフォメーション（EDL Information）、記事原稿に関するスクリプト（Script）を表すメタデータを記憶する記憶手段と、
上記画像データ、上記音声データ及びメタデータを出力する出力処理手段と
を備えることを特徴とする画像処理装置。
【請求項２】  上記メタデータは、ニュース番組を制作するための画像処理を行う画像処理装置であって、取材場所の地名を表すギャザリング・ロケーション・プレイス（Gathering_Location_Place）、撮影者の名前を表すフォトグラファ（Photographer）、取材を担当する記者に関する情報を示すジャーナリスト・インフォメーション（Jurnalist Information）、ニュース番組のディレクタを表すディレクタ（Director）、Contentsは、撮影内容に関連するその他の情報が記述されるコンテンツ（Contents）、撮影開始日時を表すギャザリング・スタート・デートタイム（Gathering_Start_DateTime）、撮影終了時間を示すギャザリング・エンド・デートタイム（Gathering_End_DateTime）、ニュース番組のプロデューサを表すプロデューサ（Producer）、ＮＣＳ（Newsroom Computer System）に登録されているニュース番組項目・番組毎に設定されたIDであるエヌ・シー・エス・アイディー（NCS ID）、撮影場所の緯度を表すギャザリング・ロケーション・ラティテュード（Gathering_Location_Latitude）、撮影場所の経度を表すギャザリング・ロケーション・ロンジテュード（Gathering_Location_Longitude）、撮影場所の高度を表すギャザリング・ロケーション・アルティテュード（Gathering_Location_Altitude）、撮影時の時間を表すギャザリング・ロケーション・タイム（Gathering_Location_Time）、撮像装置を識別する機材ID、撮像装置の設定を示すカメラ・セットアップ・インフォメーション（Camera Setup Imformation）、記録媒体を識別するリール・ナンバ（Reel Number）、撮影に要した時間を示すデュレーション（Duration）、各シーンの開始時間を表すスタート・オブ・マテリアル（StartOf Material）、取材題目を示すタイトル（Title）、撮影の際、手動で入力されるマーク点を示すグッド・ショット・マーク（Good Shot Mark）、及びレコード・スタート・マーク（REC Start Mark）、マイクチャンネルを示すオーディオチャンネル・インフォメーション（Audio Channel Information）、音声の記録がモノラルか、ステレオか、バイリンガルかを示すオーディオ・タイプ（Audio Type）、素材を識別するために唯一的に決められたIDであるユーミッド・オーディオ（UMID（Audio））、及びユーミッド・ビデオ（UMID（Video））、素材データの著作権を表すコピーライト（Copyright）、素材データの供給源を示すソース（Source）、データストリームの形式を示すフォーマット（Format）、映像の圧縮を示すビデオ・ビット・レイト（Video Bit Rate）、映像がMPEG形式の場合の圧縮率を示すジー・オー・ピー・サイズ（GOP Size）、解像度を表すレゾリューション（Resolution）、音声データのチャンネル数を表すオーディオ・ナンバ・オブ・チャンネル（Audio Number of Channel）、音声データが圧縮されているか否かを表すオーディオ・コンプレッション（Audio Compression）、オーディオサンプリング周波数を表すオーディオ・サンプリング・レイト（Audio Sampling Rate）、音声データのサイズを表すオーディオ・データ・サイズ（Audio Data Size）、収録方法を示すレック・タイプ（REC_Type）、既存の画像処理システムにおいて使用されている素材を識別するためのIDを示すマテリアル・ID（Material_ID）、素材に対して、数回の編集等を施す間に変形したか否か等を示すサブ・キー（Sub Key）、素材データの種類を示すIDであるユーミッド・データ（UMID（Data））、ユーミッド・オーディオとユーミッド・ビデオとを纏めたユーミッド・システム（UMID（System））、素材の長さを表すファイル・レングス（File Length）、映像及び音声データを含むファイル全体のサイズ表したエッセンシャル・サイズ（Essence_Size）、映像及び音声データを含むファイル全体のサイズ表したエッセンシャル・サイズ（Essence_Size）、映像データが静止画であるか否かを示すオブジェクト・タイプ（Object Type）、素材データの有効期限を示すバリッド・デイト（Valid Date）の各情報を表すメタデータであることを特徴とする請求項１記載の画像処理装置。
【請求項３】  画像データを加工する画像データ加工手段を備えること
を特徴とする請求項１記載の画像処理装置。
【請求項４】  音声データを加工する音声データ加工手段を備えること
を特徴とする請求項１記載の画像処理装置。
【請求項５】  ニュース番組を制作するための画像処理を行う画像処理方法であって、
画像データ及び音声データと、上記画像データ及び上記音声データを識別するためのメタデータとを入力する入力処理工程と、
上記画像データと上記音声データとを記録する記録工程と、
上記画像データを編集する際の編集開始点及び終了点のリスト情報、及び記事内容を入力するための操作工程と、
上記開始点、上記終了点及び上記記事内容を編集内容に関するイー・ディー・エル・インフォメーション（EDL Information）、記事原稿に関するスクリプト（Script）を表すメタデータとして記憶する記憶工程と、
上記画像データ、上記音声データ及びメタデータを出力する出力処理工程と
を備えることを特徴とする画像処理方法。
【請求項６】  上記メタデータは、ニュース番組を制作するための画像処理を行う画像処理方法であって、取材場所の地名を表すギャザリング・ロケーション・プレイス（Gathering_Location_Place）、撮影者の名前を表すフォトグラファ（Photographer）、取材を担当する記者に関する情報を示すジャーナリスト・インフォメーション（Jurnalist Information）、ニュース番組のディレクタを表すディレクタ（Director）、Contentsは、撮影内容に関連するその他の情報が記述されるコンテンツ（Contents）、撮影開始日時を表すギャザリング・スタート・デートタイム（Gathering_Start_DateTime）、撮影終了時間を示すギャザリング・エンド・デートタイム（Gathering_End_DateTime）、ニュース番組のプロデューサを表すプロデューサ（Producer）、ＮＣＳ（Newsroom Computer System）に登録されているニュース番組項目・番組毎に設定されたIDであるエヌ・シー・エス・アイディー（NCS ID）、撮影場所の緯度を表すギャザリング・ロケーション・ラティテュード（Gathering_Location_Latitude）、撮影場所の経度を表すギャザリング・ロケーション・ロンジテュード（Gathering_Location_Longitude）、撮影場所の高度を表すギャザリング・ロケーション・アルティテュード（Gathering_Location_Altitude）、撮影時の時間を表すギャザリング・ロケーション・タイム（Gathering_Location_Time）、撮像装置を識別する機材ID、撮像装置の設定を示すカメラ・セットアップ・インフォメーション（Camera Setup Imformation）、記録媒体を識別するリール・ナンバ（Reel Number）、撮影に要した時間を示すデュレーション（Duration）、各シーンの開始時間を表すスタート・オブ・マテリアル（StartOf Material）、取材題目を示すタイトル（Title）、撮影の際、手動で入力されるマーク点を示すグッド・ショット・マーク（Good Shot Mark）、及びレコード・スタート・マーク（REC Start Mark）、マイクチャンネルを示すオーディオチャンネル・インフォメーション（Audio Channel Information）、音声の記録がモノラルか、ステレオか、バイリンガルかを示すオーディオ・タイプ（Audio Type）、素材を識別するために唯一的に決められたIDであるユーミッド・オーディオ（UMID（Audio））、及びユーミッド・ビデオ（UMID（Video））、素材データの著作権を表すコピーライト（Copyright）、素材データの供給源を示すソース（Source）、データストリームの形式を示すフォーマット（Format）、映像の圧縮を示すビデオ・ビット・レイト（Video Bit Rate）、映像がMPEG形式の場合の圧縮率を示すジー・オー・ピー・サイズ（GOP Size）、解像度を表すレゾリューション（Resolution）、音声データのチャンネル数を表すオーディオ・ナンバ・オブ・チャンネル（Audio Number of Channel）、音声データが圧縮されているか否かを表すオーディオ・コンプレッション（Audio Compression）、オーディオサンプリング周波数を表すオーディオ・サンプリング・レイト（Audio Sampling Rate）、音声データのサイズを表すオーディオ・データ・サイズ（Audio Data Size）、収録方法を示すレック・タイプ（REC_Type）、既存の画像処理システムにおいて使用されている素材を識別するためのIDを示すマテリアル・ID（Material_ID）、素材に対して、数回の編集等を施す間に変形したか否か等を示すサブ・キー（Sub Key）、素材データの種類を示すIDであるユーミッド・データ（UMID（Data））、ユーミッド・オーディオとユーミッド・ビデオとを纏めたユーミッド・システム（UMID（System））、素材の長さを表すファイル・レングス（File Length）、映像及び音声データを含むファイル全体のサイズ表したエッセンシャル・サイズ（Essence_Size）、映像及び音声データを含むファイル全体のサイズ表したエッセンシャル・サイズ（Essence_Size）、映像データが静止画であるか否かを示すオブジェクト・タイプ（Object Type）、素材データの有効期限を示すバリッド・デイト（Valid Date）を表すメタデータであることを特徴とする請求項５記載の画像処理方法。
【請求項７】  画像データを加工する画像データ加工工程を備えること
を特徴とする請求項５記載の画像処理方法。
【請求項８】  音声データを加工する音声データ加工工程を備えること
を特徴とする請求項５記載の画像処理方法。
【手続補正２】
【補正対象書類名】明細書
【補正対象項目名】００１２
【補正方法】変更
【補正の内容】
【００１２】
【課題を解決するための手段】
上述した目的を達成するために、本発明に係る画像処理装置は、ニュース番組を制作するための画像処理を行う画像処理装置であって、画像データ、音声データ及び上記画像データ及び上記音声データを識別するための付加情報を入力する入力処理手段と、上記画像データと上記音声データとを記録する記録手段と、上記画像データを編集する際の編集開始点及び終了点のリスト情報、及び記事内容を入力するための操作手段と、上記開始点、上記終了点及び上記記事内容を付加情報として記憶する記憶手段と、上記画像データ、上記音声データ及び付加情報を出力する出力処理手段とを備えることを特徴とするものである。
【手続補正３】
【補正対象書類名】明細書
【補正対象項目名】００１３
【補正方法】変更
【補正の内容】
【００１３】
上述した目的を達成するために、本発明に係る画像処理方法は、ニュース番組を制作するための画像処理を行う画像処理方法であって、画像データ、音声データ及び上記画像データ及び上記音声データを識別するための付加情報を入力する入力処理工程と、上記画像データと上記音声データとを記録する記録工程と、上記画像データを編集する際の編集開始点及び終了点のリスト情報、及び記事内容を入力するための操作工程と、上記開始点、上記終了点及び上記記事内容を付加情報として記憶する記憶工程と、上記画像データ、上記音声データ及び付加情報を出力する出力処理工程とを備えることを特徴とする。
【手続補正４】
【補正対象書類名】明細書
【補正対象項目名】０２５４
【補正方法】変更
【補正の内容】
【０２５４】
【発明の効果】
以上詳細に説明したように本発明に係る画像処理装置は、ニュース番組を制作するための画像処理を行う画像処理装置であって、画像データ及び音声データと、この画像データ及び音声データを識別するための付加情報を入力する入力処理手段と、上記画像データと上記音声データとを記録する記録手段と、上記画像データを編集する際の編集開始点及び終了点のリスト情報、及び記事内容を入力するための操作手段と、上記開始点、上記終了点及び上記記事内容を付加情報として記憶する記憶手段と、上記画像データ、上記音声データ及び付加情報を出力する出力処理手段とを備える。
【手続補正５】
【補正対象書類名】明細書
【補正対象項目名】０２５８
【補正方法】変更
【補正の内容】
【０２５８】
以上詳細に説明したように本発明に係る画像処理方法は、ニュース番組を制作するための画像処理を行う画像処理方法であって、画像データ及び音声データと、この画像データ及び音声データを識別するための付加情報を入力する入力処理工程と、上記画像データと上記音声データとを記録する記録工程と、上記画像データを編集する際の編集開始点及び終了点のリスト情報、及び記事内容を入力するための操作工程と、上記開始点、上記終了点及び上記記事内容を付加情報として記憶する記憶工程と、上記画像データ、上記音声データ及び付加情報を出力する出力処理工程とを備える。